(57)【特許請求の範囲】
【請求項１】
装身具の一端に連結可能な連結部を有するケースと、
ケースに備えられる収容空間と、
収容空間に装身具の長手方向に滑動可能に配設され且つ装身具の他端が連結されるスライド板と、
収容空間内部に回転可能に配設される回転体と、
スライド板における装身具の長手方向の滑動と回転体の回転とを連動させるカム手段と、ケースにその外方より押圧可能に配設され且つその内端部が収容空間内部に位置するプッシュボタンと、
収容空間内部に配設されてプッシュボタンをケースの外方に付勢する弾発部材と、
弾発部材によって付勢されたプッシュボタンの内端部が回転体に係合して回転体の回転を抑止する係止手段と、
を含み、
スライド板の収容空間からの抜け止めをカム手段が担う装身具の長さ調整構造。
【請求項２】
装身具の一端に連結可能な連結部を有するケースと、
ケースに備えられる収容空間と、
収容空間に装身具の長手方向に滑動可能に配設され且つ装身具の他端が連結されるスライド板と、
収容空間内部に回転可能に配設される回転体と、
スライド板における装身具の長手方向の滑動と回転体の回転とを連動させるカム手段と、ケースにその外方より押圧可能に配設され且つその内端部が収容空間内部に位置するプッシュボタンと、
収容空間内部に配設されてプッシュボタンをケースの外方に付勢する弾発部材と、
弾発部材によって付勢されたプッシュボタンの内端部が回転体に係合して回転体の回転を抑止する係止手段と、
を含み、
プッシュボタンの収容空間からの抜け止めを係止手段が担う装身具の長さ調整構造。
【請求項３】
装身具の一端に連結可能な連結部を有するケースと、
ケースに備えられる収容空間と、
収容空間に装身具の長手方向に滑動可能に配設され且つ装身具の他端が連結されるスライド板と、
収容空間内部に回転可能に配設される回転体と、
スライド板における装身具の長手方向の滑動と回転体の回転とを連動させるカム手段と、ケースにその外方より押圧可能に配設され且つその内端部が収容空間内部に位置するプッシュボタンと、
収容空間内部に配設されてプッシュボタンをケースの外方に付勢する弾発部材と、
弾発部材によって付勢されたプッシュボタンの内端部が回転体に係合して回転体の回転を抑止する係止手段と、
を含み、
プッシュボタンの内端部に回転体を収納する収納部を備え、
係止手段が、プッシュボタンの収納部に突設された係止爪と、回転体の外周縁に形成された複数の係止歯と、より成り、
係止爪が係止歯のいずれか１つと係合して、回転体の回転を一定の角度ごとに抑止する装身具の長さ調整構造。
【請求項４】
装身具の一端に連結可能な連結部を有するケースと、
ケースに備えられる収容空間と、
収容空間に装身具の長手方向に滑動可能に配設され且つ装身具の他端が連結されるスライド板と、
収容空間内部に回転可能に配設される回転体と、
スライド板における装身具の長手方向の滑動と回転体の回転とを連動させるカム手段と、ケースにその外方より押圧可能に配設され且つその内端部が収容空間内部に位置するプッシュボタンと、
収容空間内部に配設されてプッシュボタンをケースの外方に付勢する弾発部材と、
弾発部材によって付勢されたプッシュボタンの内端部が回転体に係合して回転体の回転を抑止する係止手段と、
を含み、
プッシュボタンの内端部に回転体を収納する収納部を備え、
係止手段が、プッシュボタンの収納部に突設された複数の係止歯と、回転体の外周縁に形成された係止爪と、より成り、
係止爪が係止歯のいずれか１つと係合して、回転体の回転を一定の角度ごとに抑止する装身具の長さ調整構造。
【請求項５】
請求項１から４のいずれかに記載された装身具の長さ調整構造であって、
係止手段は、回転体の回転を一定の角度ごとに抑止してカム手段を介してスライド板の滑動を一定の距離ごとに抑止する装身具の長さ調整構造。
【請求項６】
請求項５に記載された装身具の長さ調整構造であって、
係止手段が、プッシュボタンの内端部と回転体のいずれか一方に設けられた複数の係止歯と、他方に設けられた係止爪とより成り、係止爪が係止歯のいずれか１つと係合して、回転体の回転を一定の角度ごとに抑止する装身具の長さ調整構造。
【請求項７】
請求項１から６のいずれかに記載された装身具の長さ調整構造であって、
カム手段を、回転体とスライド板のいずれか一方に突設されたガイドピンと、他方に形成されたガイド孔とを有してガイドピンをガイド孔に挿入して構成した装身具の長さ調整構造。
【請求項８】
請求項１から７のいずれかに記載された装身具の長さ調整構造であって、
スライド板を、プッシュボタン及び回転体に重ねた装身具の長さ調整構造。
【請求項９】
請求項１から８のいずれかに記載された装身具の長さ調整構造であって、
プッシュボタンの内端部に回転体を収納する収納部を備える装身具の長さ調整構造。
【請求項１０】
請求項１から９のいずれかに記載された装身具の長さ調整構造であって、
プッシュボタンの内端部に回転体を収納する収納部を備え、
係止手段が、プッシュボタンの収納部に突設された係止爪と、回転体の外周縁に形成された複数の係止歯と、より成り、
係止爪が係止歯のいずれか１つと係合して、回転体の回転を一定の角度ごとに抑止する装身具の長さ調整構造。
【請求項１１】
請求項１から９のいずれかに記載された装身具の長さ調整構造であって、
プッシュボタンの内端部に回転体を収納する収納部を備え、
係止手段が、プッシュボタンの収納部に突設された複数の係止歯と、回転体の外周縁に形成された係止爪と、より成り、
係止爪が係止歯のいずれか１つと係合して、回転体の回転を一定の角度ごとに抑止する装身具の長さ調整構造。
【請求項１２】
請求項９から１１のいずれかに記載された装身具の長さ調整構造であって、
収納部が、プッシュボタンの表裏に貫通した開口部または凹部である装身具の長さ調整構造。
【請求項１３】
請求項６に記載された装身具の長さ調整構造であって、
係止歯の形状が、平面視でラチェット歯または山歯である装身具の長さ調整構造。
【請求項１４】
請求項１から１３のいずれかに記載された長さ調整構造を備える装身具。
【発明の詳細な説明】
【０００１】
【発明の属する技術分野】
本発明は、身体に巻回されて装着される装身具の構造に係わり、特に、腕時計、ブレスレッド等の手首に巻回される装身具、ネックレス等の首に巻回される装身具、あるいはズボンのベルト等の腰に巻回される装身具に適し、且つ朝夕で僅かに異なる手首、首、あるいは腰の微妙な太さの変化にも追従して、その長さを微調整できる装身具の長さ調整構造に関する。
【０００２】
【従来の技術】
従来の時計バンド構造におけるバンド長さ調整は、図２３に示すように時計バンドの駒１００同志を連結するアジャストピン１０１をピンセットのような工具１０２を用いて抜き、駒１００を外して、再び駒１００同志をアジャストピン１０１で連結して、外した駒１００の長さ分だけ、バンド長さを短くする、あるいは、アジャストピン１０１を外して切り離した駒１００の間に、別の駒１００を介入して隣り合う駒１００同志をアジャストピン１０１で結合して介入した別の駒１００の長さ分だけ、バンド長さを長くすることで行っていた。
【０００３】
また、従来のバンド長さ調整を備えた時計バンド構造としては、図２４に示すように中折れ部材９０を、２枚の連結板９１、９２をそれぞれの端部で枢着して構成し、また、長さ調整板９３を、これの板本体９３ａのバンド短手方向に一対の側壁部９４を設けて、これらの側壁部９４にバンド長手方向に所定のピッチで複数の調整孔９５を設けて構成し、前記中折れ部材９０の連結板９１を一方の時計バンド９６の端部の連かん駒９６Ａに連結し、他方の時計バンド９７の端部の連かん駒９７Ａに前記長さ調整板９３を連結し、連かん駒９７Ａの端部に配したばね棒９９を前記長さ調整板９３の調整孔９５に係脱可能に係止したものがある。
【０００４】
そして、この時計バンド構造において、バンド長さの調整はばね棒９９をピンセット等の工具を用いて前記長さ調整板９３の調整孔９５から外し、他の調整孔９５に係止することにより行われていた。
【０００５】
【発明が解決しようとする課題】
しかしながら、図２３に示すように時計バンドの各駒１００のアジャストピン１０１を抜き、駒１００の着脱でバンド長さの調整を行う長さ調整機構にあっては、着脱される駒１００の長さ分しかバンド長さを調整できないので、ユーザーが腕時計を装着した時、個々のユーザーが有するバンドの緩詰の好みに合ったバンド長さの微調整ができなかった。このために、腕時計の装着感が悪いものになるという問題点があった。また、朝夕で手首の太さが変化するため、ユーザーが十分な装着感を得るためには、ユーザー自身で簡単に朝夕晩で長さ調整が行われることが望まれるが、図２３に示す長さ調整機構では、バンド長さを調整するにはピンセットのような工具と、作業の熟練が必要であり、ユーザーが簡単に行えるものではなかった。
【０００６】
また、上記した長さ調整板９３の端部に設けたアジャストピン９９を前記長さ調整板９３の調整孔９５に係脱可能に係止する長さ調整機構にあっては、図２３に示す長さ調整機構よりは、微かな長さ調整ができるものの、バンド長さの調整の都度、ばね棒９９を外し、他の調整孔９５に係止しなければならず、この作業にはピンセットのような工具と作業の熟練が必要であり、ユーザーが簡単に行えるものではなかった。また、前記調整孔９５間のピッチを小さくすることは、加工上限界があり、よって、極くわずかな長さ調整ができるものではなかった。このようなことから、バンド長さの微調整機構を備えた時計バンド構造の出現が望まれていた。
【０００７】
本発明は、上記の問題点に着目して成されたものであり、その目的とするところは、朝夕で僅かに異なる手首等の微妙な太さの変化にも追従して、その長さを容易に微調整できる装身具の長さ調整構造を提供することにある。
【０００８】
【課題を解決するための手段】
上記目的を達成するために、本発明に係わる装身具の長さ調整構造は、
「装身具の一端に連結可能な連結部を有するケースと、ケースに備えられる収容空間と、収容空間に装身具の長手方向に滑動可能に配設され且つ装身具の他端が連結されるスライド板と、収容空間内部に回転可能に配設される回転体と、
スライド板における装身具の長手方向の滑動と回転体の回転とを連動させるカム手段と、ケースにその外方より押圧可能に配設され且つその内端部が収容空間内部に位置するプッシュボタンと、収容空間内部に配設されてプッシュボタンをケースの外方に付勢する弾発部材と、弾発部材によって付勢されたプッシュボタンの内端部が回転体に係合して回転体の回転を抑止する係止手段と、」を含む構造であり、この構造において、
「スライド板の収容空間からの抜け止めをカム手段が担う」ことを特徴とする。
また、この構造において、
「プッシュボタンの収容空間からの抜け止めを係止手段が担う」ことを特徴とする。
【０００９】
かかる構成により、プッシュボタンを弾発部材に抗して押圧すると、プッシュボタンの内端部と回転体とが離間して係止手段が解除される。よって、スライド板はカム手段を介して回転体を回転させつつ、装身具の長手方向に滑動できるようになる。また、プッシュボタンの押圧を止めると、弾発部材の弾発力により付勢されたプッシュボタンの内端部が回転体に係止する係止手段により、回転体の回転が抑止され、よって、カム手段を介して回転体と連動するスライド板の滑動が抑止される。
【００１０】
このように、スライド板を装身具の長手方向に滑動させてケースより引き出すと、装身具の長さを長くすることができる。また、スライド板を装身具の長手方向に滑動させてケースに没入させると、装身具の長さを短くすることができる。このとき、係止手段により、適宜にスライド板の滑動を抑止し、適切な長さを得ることができる。したがって、朝夕で僅かに異なる手首等の微妙な太さの変化にも追従して装身具の長さを容易に微調整することができる。
【００１１】
また、上記目的を達成するために、本発明に係わる装身具の長さ調整構造は、「係止手段は、回転体の回転を一定の角度ごとに抑止してカム手段を介してスライド板の滑動を一定の距離ごとに抑止する」ものであってもよい。
【００１２】
かかる構成により上記した本発明と同様な作用を奏し得るばかりか、回転体の回転を一定の角度ごとに抑止してカム手段を介してスライド板の滑動を一定の距離ごとに抑止して装身具の長さを容易に微調整することができる。
【００１３】
また、上記目的を達成するために、本発明に係わる装身具の長さ調整構造は、「係止手段が、プッシュボタンの内端部と回転体のいずれか一方に設けられた複数の係止歯と、他方に設けられた係止爪とより成り、係止爪が係止歯のいずれか１つと係合して、回転体の回転を一定の角度ごとに抑止する」ものであってもよい。
【００１４】
かかる構成により、上記した本発明と同様な作用を奏し得るばかりか、係止歯の角度のピッチが大きくても、スライド板の滑動距離のピッチは小さくすることができる。なぜならば、係止歯が大きく回転しようとも、カム手段を介して連動するスライド板の滑動距離は小さいからである。
【００１５】
このような係止歯は、その角度のピッチを小さくしようとすると、加工の負荷が大きくなる。また、そのピッチをどのように小さくしようとも、加工上の限界がある。しかしながら、本発明においては、係止歯の角度のピッチが大きくても、朝夕で僅かに異なる、手首の微妙な太さの変化にも追従できる小さいピッチを、スライド板の滑動に付与することができる。
【００１６】
また、上記目的を達成するために、本発明に係わる装身具の長さ調整構造は、「カム手段を、回転体とスライド板のいずれか一方に突設されたガイドピンと、他方に形成されたガイド孔とを有して、ガイドピンをガイド孔に挿入して構成した」ものであってもよい。
【００１７】
かかる構成により上記した請求項１の発明と同様な作用を奏し得るばかりか、スライド板を移動することにより、ガイドピンとガイド孔との相対的な摺動で、回転体を回転して前記スライド板の滑動を一定の距離ごとに抑止して装身具の長さを微調整することができる。
【００１８】
また、上記目的を達成するために、本発明に係わる装身具の長さ調整構造は、「スライド板を、プッシュボタン及び回転体に重ねた」ものであってもよい。
【００１９】
かかる構成により上記した本発明と同様な作用を奏し得るばかりか、装身具の長さ調整構造の小形化が可能になる。
【００２０】
また、上記目的を達成するために、本発明に係わる装身具の長さ調整構造は、「プッシュボタンの内端部に回転体を収納する収納部を備える」ものであってもよい。
【００２１】
かかる構成により上記した請求項１の発明と同様な作用を奏し得るばかりか、装身具の長さ調整構造の厚さを薄くすることが可能になって、より装身具の長さ調整構造の小形化が可能になる。
【００２２】
また、上記目的を達成するために、本発明に係わる装身具の長さ調整構造は、「装身具の一端に連結可能な連結部を有するケースと、ケースに備えられる収容空間と、収容空間に装身具の長手方向に滑動可能に配設され且つ装身具の他端が連結されるスライド板と、収容空間内部に回転可能に配設される回転体と、
スライド板における装身具の長手方向の滑動と回転体の回転とを連動させるカム手段と、ケースにその外方より押圧可能に配設され且つその内端部が収容空間内部に位置するプッシュボタンと、収容空間内部に配設されてプッシュボタンをケースの外方に付勢する弾発部材と、弾発部材によって付勢されたプッシュボタンの内端部が回転体に係合して回転体の回転を抑止する係止手段と、」を含む構造であり、この構造において、
「プッシュボタンの内端部に回転体を収納する収納部を備え、係止手段が、プッシュボタンの収納部に突設された係止爪と、回転体の外周縁に形成された複数の係止歯と、より成り、係止爪が係止歯のいずれか１つと係合して、回転体の回転を一定の角度ごとに抑止する」ものである。
【００２３】
かかる構成により上記した本発明と同様な作用を奏し得る。
【００２４】
また、上記目的を達成するために、本発明に係わる装身具の長さ調整構造は、「装身具の一端に連結可能な連結部を有するケースと、ケースに備えられる収容空間と、収容空間に装身具の長手方向に滑動可能に配設され且つ装身具の他端が連結されるスライド板と、収容空間内部に回転可能に配設される回転体と、
スライド板における装身具の長手方向の滑動と回転体の回転とを連動させるカム手段と、ケースにその外方より押圧可能に配設され且つその内端部が収容空間内部に位置するプッシュボタンと、収容空間内部に配設されてプッシュボタンをケースの外方に付勢する弾発部材と、弾発部材によって付勢されたプッシュボタンの内端部が回転体に係合して回転体
の回転を抑止する係止手段と、」を含む構造であり、この構造において、
「プッシュボタンの内端部に回転体を収納する収納部を備え、係止手段が、プッシュボタンの収納部に突設された複数の係止歯と、回転体の外周縁に形成された係止爪と、より成り、係止爪が係止歯のいずれか１つと係合して、回転体の回転を一定の角度ごとに抑止する」ものである。
【００２５】
かかる構成により上記した本発明と同様な作用を奏し得る。
【００２６】
また、上記目的を達成するために、本発明に係わる装身具の長さ調整構造は、「収納部が、スライド板の表裏に貫通した開口部または凹部」であってもよい。
【００２７】
かかる構成により上記した本発明と同様な作用を奏し得る。
【００２８】
また、上記目的を達成するために、本発明に係わる装身具の長さ調整構造は、「係止歯の形状が平面視でラチェット歯または山歯」であってもよい。
【００２９】
かかる構成により上記した請求項１の発明と同様な作用を奏し得る。
【００３０】
【発明の実施の形態】
以下、本発明の実施例を図面に基づいて詳細に説明する。
【００３１】
（実施例１）
図１は本発明に係わる装身具の長さ調整構造（実施例１）を組み込んだ装身具の一例としての時計バンド構造の一部省略した斜視図、図２は本発明に係わる装身具の長さ調整構造（実施例１）の一部省略した分解状態の斜視図、図３の（１）は同長さ調整構造の組立状態の一部省略した平面図、図３の（２）は（１）のＴ−Ｔ線に沿う断面図である。
【００３２】
本発明に係わる装身具の長さ調整構造Ａは、ケース１と、スライド板２と、回転体３と、プッシュボタン４とにより大略構成してある。そして、前記ケース１は、表面部５Ａとこの表面部５Ａの装身具の短手方向の両端側に形成された側壁部５Ｂ、５Ｃと表面部５Ａの装身具の長手方向の一端側の閉塞端部５Ｄとから成るケース枠本体５と、このケース枠本体５の底部開口５Ｅを閉塞する蓋体６とから構成してある。ケース枠本体５の閉塞端部５Ｄ側には連結部８が一体に形成してあり、この連結部８には装身具の短手方向に沿うピン孔８Ａが設けてある。また、ケース枠本体５の一方の側壁部５Ｂには、閉塞端部５Ｄ寄りにボタン孔９が設けてあり、他方の側壁部５Ｃの内面にはボタン孔９に対向するばね受部９Ａが設けてある。そして、ケース１の内部は、その装身具の長手方向の他端側が開口する平面視で長方形状の収容空間Ｈに成されており、蓋体６にはプッシュボタン４を案内するガイドピン６Ａ及び支承孔７が設けてある。
【００３３】
前記スライド板２は平面視で長方形状を成しており、このスライド板２の面部２Ａには、装身具の長手方向、すなわちスライド板２の滑動（スライド）方向に沿う軸線イに対して左下がり（右上がり）に傾斜させてガイド孔１０が設けてあり、また、スライド板２の装身具の長手方向の端部（右端部）には連結部１１が形成してあり、この連結部１１には装身具の短手方向に沿うピン孔１２が設けてある。
【００３４】
また、前記回転体３は円板体３Ａを備えており、この円板体３Ａの裏面には、回転中心Ｐの位置に支承軸部１３が設けてあり、この円板体３Ａの表面部には、回転中心Ｐより偏位した位置にガイドピン１４が設けてある。また、円板体３Ａの周部には、ガイドピン１４側とは略反対側に位置させて複数の係止歯であるラチェット歯１５が形成してある。これらのラチェット歯１５は、図４の（１）、（２）に示すように直線状歯面１５Ａと傾斜歯面１５Ｂとの組み合わせであり、直線状歯面１５Ａは、円板体３Ａの回転中心Ｐを通る半径方向の直線ロに沿うていて、周方向に所定のピッチ間隔で形成してあり、また、傾斜歯面１５Ｂは、隣り合う直線ロと直線ロとの間に斜めに形成してある。
【００３５】
また、前記プッシュボタン４は短冊形状であり、このプッシュボタン４の装身具の長手方向の側縁部には、ラチェット歯１５に噛み合う係止爪１６が設けてあり、この係止爪１６は、直線状面部１６Ａと、ラチェット歯１５の傾斜歯面１５Ｂに当接する傾斜面部１６Ｂを有している。また、プッシュボタン４の端部にはばね受部４Ａが設けてある。
【００３６】
そして、ケース１の収容空間Ｈ内に回転体３を収容して、この回転体３の支承軸部１３をケース１の支承孔７に回転可能に挿入し、また、ケース１のボタン孔９にプッシュボタン４を挿入して、このプッシュボタン４の挿入端部のばね受部４Ａとばね受部９Ａとの間に弾発部材であるスプリング１７を介装して、このスプリング１７でプッシュボタン４を外方に付勢し、回転体３の一端側のラチェット歯１５にプッシュボタン４の係止爪１６を係止し、また、収容空間Ｈ内に、回転体３に重ねてスライド板２を挿入して、このスライド板２のガイド孔１０に回転体３のガイドピン１４を摺動可能に挿入し、よって長さ調整構造Ａが構成される。
【００３７】
そして、前記係止爪１６とラチェット歯１５の係合は係止手段を構成しており、係止爪１６とラチェット歯１５の係合は、プッシュボタン４の抜け止めを兼ねているし、ガイドピン１４とガイド孔１０の係合はカム手段を構成してあり、ガイドピン１４とガイド孔１０の係合はスライド板２の抜け止めを兼ねている。また、ガイド孔１０の長さＥとガイド孔１０の軸線イに対する傾斜角度αとはスライド板２の滑動距離を決定している。
【００３８】
そして、この長さ調整構造Ａにあっては、回転体３の一端側のラチェット歯１５の傾斜歯面１５Ｂにプッシュボタン４の係止爪１６の傾斜面部１６Ｂが係止し、スライド板２のガイド孔１０の一方の端部１０ａに回転体３のガイドピン１４が位置した図３、図５の（３）の状態では、スライド板２が最も外方に位置していて、長さ微調整量が最も大きい場合である。
【００３９】
また、図５の（１）に示す状態、すなわち、回転体３の他端側のラチェット歯１５の直線状歯面１５Ａにプッシュボタン４の係止爪１６の直線状面部１６Ａが係止し、スライド板２のガイド孔１０の他方の端部１０ｂに回転体３のガイドピン１４が位置した状態では、スライド板２が最も内方に位置していて、長さ微調整量が最も小さい場合である。
【００４０】
上記のように構成された長さ調整構造Ａは、腕時計（図示せず）の一方のバンド取付部（図示せず）に連結された一方の時計バンドＢ１もしくは腕時計の他方のバンド取付部（図示せず）に連結された他方の時計バンドＢ２の駒間に介装されて時計バンド構造Ｃを構成している。
【００４１】
すなわち、長さ調整構造Ａのケース１の連結部８に、一方（他方）の時計バンドＢ１（Ｂ２）の一方の駒１８を連結ピン１９で連結すると共に、長さ調整構造Ａのスライド板２の連結部１１に一方（他方）の時計バンドＢ１（Ｂ２）の他方の駒２０を連結ピン２１で連結して装身具としての時計バンド構造Ｃが構成されている。
【００４２】
次に、上記のように構成された時計バンド構造Ｃの長さの微調整を説明する。上記したように図５の（１）に示す状態、すなわち、回転体３の他端側のラチェット歯１５の直線状歯面１５Ａにプッシュボタン４の係止爪１６の直線状面部１６Ａが係止し、スライド板２のガイド孔１０の他方の端部１０ｂに回転体３のガイドピン１４が位置した状態では、スライド板２が最も内方に位置していて、長さの微調整量が最も小さい場合であり、時計バンド構造Ｃの長さの微調整が最小である。すなわち、微調整量＝０である。
【００４３】
図５の（１）に示す状態では、プッシュボタン４の係止爪１６が、回転体３の他端側のラチェット歯１５に係合しているので、回転体３は回転し得ない。よって、ガイドピン１４とガイド孔１０より成るカム手段を介して回転体３の回転と連動するスライド板２の滑動も抑制されている。
【００４４】
図５の（１）に示す状態（長さの微調整量が最も小さい場合）から段階的に長さの微調整量を大きくする場合には、図５の（１）に示すようにプッシュボタン４を指で押圧してプッシュボタン４を収容空間Ｈ内に押し込むことにより、このプッシュボタン４をスプリング１７に抗して移動して回転体３の他端側のラチェット歯１５への係止爪１６の係止を解除する。
【００４５】
次に、プッシュボタン４を押した状態で、図５の（２）に示すようにスライド板２を収容空間Ｈから引き出すと、ガイドピン１４とガイド孔１０との相対的な摺動により回転体３が支承軸部１３を中心にして矢印ハ方向に回転する。この回転は、ラチェット歯１５が係止爪１６に干渉することなく行なわれる。
【００４６】
次に、図５の（３）に示すようにプッシュボタン４の押圧を解除すると、このプッシュボタン４がスプリング１７の付勢力により移動して係止爪１６の傾斜面部１６Ｂが、一端側のラチェット歯１５の傾斜歯面１５Ｂに係止してスライド板２のガイド孔１０の一方の端部１０ａに回転体３のガイドピン１４が位置した状態になり、スライド板２が最も外方に位置していて、長さの微調整量が最も大きくなり、時計バンド構造の長さの微調整が最大になる。
【００４７】
次に、図５の（４）に示すようにスライド板２を収容空間Ｈ内に押し込むと、ラチェット歯１５の傾斜歯面１５Ｂが係止爪１６の傾斜面部１６Ｂを滑り、ラチェット歯１５が送られて次のラチェット歯１５の傾斜歯面１５Ｂが係止爪１６の傾斜面部１６Ｂに当接する。さらに、スライド板２を収容空間Ｈ内に押し込めば、上記と同様にしてラチェット歯１５が送られて次のラチェット歯１５の傾斜歯面１５Ｂが係止爪１６の傾斜面部１６Ｂに当接する。以下、同様にしてスライド板２を押し込み方向に一定の距離ごとに移動させて、長さの微調整量を段階的に小さくする。
【００４８】
そして、所定位置でスライド板２の押し込みを中止すれば、所定のラチェット歯１５に係止爪１６が係止して所定の長さに調整する。
【００４９】
また、図５の（２）に示すように長さ調整量が最も大きい状態で、プッシュボタン４を押し込むことにより、このプッシュボタン４をスプリング１７に抗して移動して回転体３の一端側のラチェット歯１５と係止爪１６の係止を解除すると、スライド板２の収容空間Ｈ内への押し込みは、ラチェット歯１５が係止爪１６に干渉することなく行ない得る。さらに、スライド板２を収容空間Ｈ内に所定量押し込み、プッシュボタン４の押圧を解除すると、このプッシュボタン４がスプリング１７の付勢力により移動して係止爪１６がラチェット歯１５に係止する。このようにして所定の長さ調整量にすることもできる。
【００５０】
バンド長さ調整構造Ａにおいて、ラチェット歯１５の角度のピッチが大きくても、スライド板２の滑動距離のピッチは小さくすることができる。なぜならば、ラチェット歯１５が大きく回転しようとも、カム手段を介して連動するスライド板２の滑動距離は小さいからである。
【００５１】
このようなラチェット歯１５は、その角度のピッチを小さくしようとすると、加工の負荷が大きくなる。また、そのピッチをどのように小さくしようとも、加工上の限界がある。しかしながら、本発明においては、ラチェット歯１５の角度のピッチが大きくても、朝夕で僅かに異なる、手首の微妙な太さの変化にも追従できる小さいピッチを、スライド板２の滑動に付与することができる。
【００５２】
上記した本発明の実施例１にあっては、スライド板２を時計バンド構造Ｃの長手方向に滑動させ、ケース１より引き出すと、時計バンド構造Ｃの長さを長くすることができる。また、スライド板２を時計バンド構造Ｃの長手方向に滑動させ、ケース１に没入させると、時計バンド構造Ｃの長さを短くすることができる。このとき、係止手段、すなわちラチェット歯１５に係止爪１６を係止することにより、適宜にスライド板２の滑動を抑止し、適切な長さを得ることができる。
また、プッシュボタン４を押圧しないかぎり、スライド板２は滑動しないので、腕時計を手首に装着している時に、スライド板２が不用意に滑動することはない。
【００５３】
このように、本発明の長さ調整機構Ａを用いると、例えば手首が僅かに太くなって、手首に装着した腕時計がきつくなった時は、腕時計を手首に装着したまま、プッシュボタン４を押圧してスライド板２を滑動させれば良い。よって、段階的に微調整を行って腕時計を緩め、腕時計を手首から外すことなく、最も適当な装着感を得ることができる。手首が僅かに細くなった場合も同様である。
【００５４】
（実施例２）
本発明の実施例２を図６乃至図１２に示す。図６は本発明に係わる装身具の長さ調整構造（実施例２）の一部省略した分解状態の斜視図、図７の（１）は同長さ調整構造の組立状態の一部省略したの平面図、図７の（２）は（１）のＵ−Ｕ線に沿う断面図である。
【００５５】
本発明に係わる装身具の長さ調整構造（実施例２）は、ケース２１と、スライド板２２と、回転体２３と、プッシュボタン２４とにより大略構成してある。そして、前記ケース２１は、ケース枠本体２５と、このケース枠本体２５の底部開口２５Ｅを閉塞する蓋体２６とから構成してある。ケース枠本体２５は、図８に示すように表面部２５Ａとこの表面部２５Ａの装身具の短手方向の両端側に形成された側壁部２５Ｂ、２５Ｃと表面部２５Ａの装身具の長手方向の一端側の閉塞端部２５Ｄとを有しており、一方の側壁部２５Ｂには、長方形状の切欠き部２７と、この切欠き部２７の装身具の長手方向の両端側に位置する蓋体取付部２８Ａとが形成してあり、他方の側壁部２５Ｃには蓋体取付部２８Ｂが形成してあり、この側壁部２５Ｃの内面部には一対のばね受け部２９が設けてある。また、ケース枠本体２５の閉塞端部２５Ｄ側には連結部３０が一体に形成してあり、この連結部３０には装身具の短手方向に沿うピン孔３０Ａが設けてある。
【００５６】
また、図９に示すように前記蓋体２６の中央部には支承孔３１が設けてある。そして、ケース枠本体２５の蓋体取付部２８Ａ、２８Ｂには蓋体２６を取り付けることによりケース２１が構成してあり、このケース２１の内部は、その装身具の長手方向の他端側が開口する平面視で長方形状の収容空間Ｈにしてあり、前記切欠き部２７と蓋体２６とで装身具の長手方向に長いボタン孔３２が形成してある。
【００５７】
前記スライド板２２は平面視で長方形状を成しており、このスライド板２２の面部２２Ａには、スライド板２２の滑動（スライド）方向に沿う軸線イに対して左上がり（右下がり）に傾斜させてガイド孔３８が設けてあり、また、スライド板２の装身具の長手方向の端部（右端部）には連結部３９が形成してあり、この連結部３９には装身具の短手方向に沿うピン孔３９Ａが設けてある。
【００５８】
また、前記回転体２３は、図１１に示すように円板体２３Ａを備えており、この円板体２３Ａの裏面には、回転中心Ｐの位置に支承軸部２３Ｂが設けてあり、この円板体２３Ａの表面部には、回転中心Ｐより偏位した位置にガイドピン３４が設けてある。また、円板体２３Ａの周部には、ガイドピン３４側とは略反対側に位置させて複数の係止歯であるラチェット歯３５が形成してある。これらのラチェット歯３５は直線状歯面３５Ａと傾斜歯面３５Ｂとの組み合わせであり、直線状歯面３５Ａは、円板体２３Ａの回転中心Ｐを通る半径方向の直線ロに沿うていて、方向ハに所定のピッチ間隔で形成してあり、また、傾斜歯面３５Ｂは、隣り合う直線ロと直線ロとの間に斜めに形成してある。
【００５９】
また、前記プッシュボタン２４は、図１０に示すように上記した実施例１の場合のプッシュボタン４より幅広であり、このプッシュボタン２４の一端部は押し部２４Ａにしてあり、他端部には一対のばね受け部２４Ｂが形成してある。そして、プッシュボタン２４の面部の中央部には開口部である収納部３３が形成してあり、この収納部３３は、半円部３３Ａと方形部３３Ｂとを組み合わせた形状をしていて、プッシュボタン２４の一端側に方形部３３Ｂが、他端側に半円部３３Ａがそれぞれ位置している。そして、半円部３３Ａのほぼ中央には、ラチェット歯３５に噛み合う係止爪３６が設けてあり、この係止爪３６は、直線状面部３６Ａと、ラチェット歯３５の傾斜歯面３５Ｂに当接する傾斜面部３６Ｂとを有している。
【００６０】
そして、前記ケース２１の収容空間Ｈ内にはプッシュボタン２４が設けてあり、このプッシュボタン２４の押し部２４Ａ側はボタン孔３２より外方に突出しており、また、収容空間Ｈ内には、プッシュボタン２４の収納部３３内に収納して回転体２３が収容してあり、この回転体２３の支承軸部２３Ｂは蓋体２６の支承孔３１に回転可能に挿入してある。
【００６１】
そして、プッシュボタン２４の端部のばね受部２４Ｂとケース２１側のばね受部２９との間にスプリング３７を介装して、このスプリング３７でプッシュボタン２４を外方に付勢して、回転体２３の一端側のラチェット歯３５にプッシュボタン２４の係止爪３６が係止してある。
【００６２】
また、収容空間Ｈ内にはプッシュボタン２４に重ねてスライド板２２が挿入してあり、このスライド板２２のガイド孔３８に回転体２３のガイドピン３４を摺動可能に挿入して長さ調整構造Ａが構成してある。この場合、前記係止爪３６とラチェット歯３５の係合は、プッシュボタン２４の抜け止めを兼ねているし、ガイドピン３４とガイド孔３８の係合はスライド板２２の抜け止めを兼ねている。また、ガイド孔３８の長さＥとガイド孔３８の軸線イに対する傾斜角度αとはスライド板２２の滑動距離を決定している。
【００６３】
上記のように構成された長さ調整構造Ａは、上記した実施例１と同様に腕時計（図示せず）の一方のバンド取付部（図示せず）に連結された一方の時計バンドＢ１もしくは腕時計の他方のバンド取付部（図示せず）に連結された他方の時計バンドＢ２の駒１８、２０間に介装されて時計バンド構造Ｃを構成している。
【００６４】
この場合、長さ調整構造Ａのケース２１の連結部３０に、一方（他方）の時計バンドＢ１（Ｂ２）の一方の駒１８が、長さ調整構造Ａのスライド板２２の連結部３９に一方（他方）の時計バンドＢ１（Ｂ２）の他方の駒２０がそれぞれ連結されることは図１と同様である。
【００６５】
次に、上記のように構成された時計バンド構造Ｃの長さの微調整を説明する。上記したように図１２の（１）に示す状態、すなわち、回転体２３の他端側のラチェット歯３５の直線状歯面３５Ａにプッシュボタン２４の係止爪３６の直線状面部３６Ａが係止し、スライド板２２のガイド孔３８の他方の端部３８ｂに回転体２３のガイドピン３４が位置した状態では、スライド板２２が最も内方に位置していて、長さの微調整量が最も小さい場合であり、時計バンド構造Ｃの長さの微調整が最小である。
【００６６】
図１２の（１）に示す状態（長さの微調整量が最も小さい場合）から段階的に長さの微調整量を大きくする場合には、図１２の（１）に示すようにプッシュボタン２４を指で押圧してプッシュボタン２４を収容空間Ｈ内に押し込むことにより、このプッシュボタン２４をスプリング３７に抗して移動して回転体２３の他端側のラチェット歯３５への係止爪３６の係止を解除する。
プッシュボタン２４は、側壁部２５Ｃに当接するまで押し込むことができる。このとき、方形部３３Ｂにおける装身具の長手方向に沿う縁辺と、回転体２３との間には、僅かに隙間が設けられる。これは、押圧されたプッシュボタン２４と回転体２３が当接して、回転体２３の回転が妨げられないようにするためである。
【００６７】
次に、プッシュボタン２４を押した状態で、図１２の（２）に示すようにスライド板２２を収容空間Ｈから引き出すと、ガイドピン３４とガイド孔３８との相対的な摺動により回転体２３が支承軸部２３Ｂを中心にして矢印ハ方向に回転する。この回転は、ラチェット歯３５が係止爪３６に干渉することなく行なわれる。
【００６８】
次に、図１２の（３）に示すようにプッシュボタン２４の押圧を解除すると、このプッシュボタン２４がスプリング３７の付勢力により移動して係止爪３６の傾斜面部３６Ｂが、一端側のラチェット歯３５の傾斜歯面３５Ｂに係止してスライド板２２のガイド孔３８の一方の端部３８ａに回転体２３のガイドピン３４が位置した状態になり、スライド板２２が最も外方に位置していて、長さの微調整量が最も大きくなり、時計バンド構造Ｃの長さの微調整が最大になる。
【００６９】
次に、図１２の（４）に示すようにスライド板２２を収容空間Ｈ内に押し込むと、ラチェット歯３５の傾斜歯面３５Ｂが係止爪３６の傾斜面部３６Ｂを滑り、ラチェット歯３５が送られて次のラチェット歯３５の傾斜歯面３５Ｂが係止爪３６の傾斜面部３６Ｂに当接する。さらに、スライド板２２を収容空間Ｈ内に押し込めば、上記と同様にしてラチェット歯３５が送られて次のラチェット歯３５の傾斜歯面３５Ｂが係止爪３６の傾斜面部３６Ｂに当接する。以下、同様にしてスライド板２２を押し込み方向に移動させて長さの微調整量を段階的に小さくする。
【００７０】
そして、所定位置でスライド板２２の押し込みを中止すれば、所定のラチェット歯３５の傾斜歯面３５Ｂが係止爪３６の傾斜面部３６Ｂに係止して所定の長さの微調整する。
【００７１】
また、図１２の（３）に示すように長さの微調整量が最も大きい状態で、プッシュボタン２４を押し込むことにより、このプッシュボタン２４をスプリング３７に抗して移動して回転体２３の一端側のラチェット歯３５への係止爪３６の係止を解除すると、スライド板２２の収容空間Ｈ内への押し込みは、ラチェット歯３５が係止爪３６に干渉することなく行ない得る。さらに、スライド板２２を収容空間Ｈ内に所定量押し込み、プッシュボタン２４の押圧を解除すると、このプッシュボタン２４がスプリング３７の付勢力により移動して係止爪３６の傾斜面部３６Ｂがラチェット歯３５の傾斜歯面３５Ｂに係止する。このようにして所定の長さに微調整することもできる。
【００７２】
バンド長さ調整構造Ａにおいて、ラチェット歯３５の角度のピッチが大きくても、スライド板２２の滑動距離のピッチは小さくすることができる。なぜならば、ラチェット歯３５が大きく回転しようとも、カム手段を介して連動するスライド板２２の滑動距離は小さいからである。
【００７３】
このようなラチェット歯３５は、その角度のピッチを小さくしようとすると、加工の負荷が大きくなる。また、そのピッチをどのように小さくしようとも、加工上の限界がある。しかしながら、本発明においては、ラチェット歯３５の角度のピッチが大きくても、朝夕で僅かに異なる、手首の微妙な太さの変化にも追従できる小さいピッチを、スライド板２２の滑動に付与することができる。
【００７４】
上記した本発明の実施例２にあっては、スライド板２２を時計バンド構造Ｃの長手方向に滑動させ、ケース２１より引き出すと、時計バンド構造Ｃの長さを長くすることができる。また、スライド板２２を時計バンド構造Ｃの長手方向に滑動させ、ケース２１に没入させると、時計バンド構造Ｃの長さを短くすることができる。このとき、係止手段、すなわちラチェット歯３５に係止爪３６を係止することにより、適宜にスライド板２２の滑動を抑止し、適切な長さを得ることができる。
【００７５】
（実施例３）
本発明の実施例３を図１３乃至図１５に示す。図１３は本発明に係わる装身具の長さ調整構造（実施例３）の一部省略した分解状態の斜視図、図１４の（１）は同長さ調整構造の組立状態の一部省略した平面図、図１４の（２）は図Ｙ−Ｙ線に沿う断面図である。
【００７６】
本発明に係わる装身具の長さ調整構造（実施例３）は、ケース４１と、スライド板４２と、回転体４３と、プッシュボタン４４とにより大略構成してある。そして、前記ケース４１及びスライド板４２は、上記した実施例２のケース２１及びスライド板２２と同構成であるために、このケース２１及びスライド板２２と同じ符号を付して説明を省略する。
【００７７】
前記回転体４３は円板体４３Ａを備えており、この円板体４３Ａの裏面には、回転中心Ｐの位置に支承軸部４５が設けてあり、この円板体４３Ａの表面部には、回転中心Ｐより偏位した位置にガイドピン４６が設けてある。また、円板体４３Ａの周部には、ガイドピン４６側とは反対側に位置させて係止爪４７が形成してあり、この係止爪４７は、直線状面部４７Ａと、後述するラチェット歯の傾斜歯面に当接する傾斜面部４７Ｂを有している。
【００７８】
また、前記プッシュボタン４４の一端部は押し部４４Ａにしてあり、他端部には一対のばね受け部４８が形成してある。そして、プッシュボタン４４の面部の中央部には開口部である収納部４９が形成してあり、この収納部４９は、半円部４９Ａと方形部４９Ｂとを組み合わせた形状をしていて、プッシュボタン４４の一端側に方形部４９Ｂが、他端側に半円部４９Ａがそれぞれ位置している。そして、半円部４９Ａには、複数の係止歯であるラチェット歯５０が形成してある。これらのラチェット歯５０は、直線状歯面５０Ａと傾斜歯面５０Ｂとの組み合わせであり、直線状歯面５０Ａは、円板体４３Ａの回転中心Ｐを通る半径方向の直線ロに沿うていて、周方向に所定のピッチ間隔で形成してあり、また、傾斜歯面５０Ｂは、隣り合う直線ロと直線ロとの間に斜めに形成してある。
【００７９】
そして、前記ケース４１の収容空間Ｈ内にはプッシュボタン４４が設けてあり、このプッシュボタン４４の押し部４４Ａ側はボタン孔３２より外方に突出しており、また、収容空間Ｈ内には、プッシュボタン４４の収納部４９内に収納して回転体４３が収容してあり、この回転体４３の支承軸部４５が蓋体２６の支承孔３１に回転可能に挿入してある。
【００８０】
そして、プッシュボタン４４の端部にばね受け部４８とケース４１側のばね受部２９との間にスプリング４０を介装して、このスプリング４０でプッシュボタン４４を外方に付勢して、回転体４３の係止爪４７にをプッシュボタン４４に設けた一端側のラチェット歯５０が係止してある。
【００８１】
また、収容空間Ｈ内にはプッシュボタン２４に重ねてスライド板４２が挿入してあり、このスライド板４２のガイド孔３８に回転体４３のガイドピン４６を摺動可能に挿入して長さ調整構造Ａが構成してある。この場合、前記係止爪４７とラチェット歯５０の係合は、プッシュボタン４４の抜け止めを兼ねているし、ガイドピン４６とガイド孔３８の係合はスライド板４２の抜け止めを兼ねている。また、ガイド孔３８の長さＥとガイド孔３８の軸線イに対する傾斜角度αとはスライド板４２の滑動距離を決定している。
【００８２】
上記のように構成された長さ調整構造Ａは、上記した実施例１と同様に腕時計（図示せず）の一方のバンド取付部（図示せず）に連結された一方の時計バンドＢ１もしくは腕時計の他方のバンド取付部（図示せず）に連結された他方の時計バンドＢ２の駒１８、２０間に介装されて時計バンド構造Ｃを構成している。この場合、ケース４１の連結部３０が駒１８に、スライド板４２に連結部３９が駒２０にそれぞれ連結されることは図１に示す場合と同様である。
【００８３】
次に、上記のように構成された時計バンド構造Ｃの長さの微調整を説明する。上記したように図１５の（１）に示す状態、すなわち、プッシュボタン４４の他端側のラチェット歯５０の直線状歯面５０Ａに回転体４３の係止爪４７の直線状面部４７Ａが係止し、スライド板４２のガイド孔３８の他方の端部３８ｂに回転体４３のガイドピン４６が位置した状態では、スライド板４２が最も内方に位置していて、長さの微調整量が最も小さい場合であり、時計バンド構造Ｃの長さの微調整が最小である。
【００８４】
図１５の（１）に示す状態（長さの微調整量が最も小さい場合）から段階的に長さの微調整量を大きくする場合には、図１５の（１）に示すようにプッシュボタン４４を指で押圧してプッシュボタン４４を収容空間Ｈ内に押し込むことにより、このプッシュボタン４４をスプリング４０に抗して移動してプッシュボタン４４の他端側のラチェット歯５０への係止爪４７の係止を解除する。
【００８５】
次に、プッシュボタン４４を押した状態で、図１５の（２）に示すようにスライド板４２を収容空間Ｈから引き出すと、ガイドピン４６とガイド孔３８の側縁部との相対的な摺動により回転体４３が支承軸部４５を中心にして矢印ハ方向に回転する。この回転は、ラチェット歯５０が係止爪４７に干渉することなく行なわれる。
【００８６】
次に、図１５の（３）に示すようにプッシュボタン４４の押圧を解除すると、このプッシュボタン４４がスプリング４０の付勢力により移動して係止爪４７の傾斜面部４７Ｂが、一端側のラチェット歯５０の傾斜歯面５０Ｂに係止してスライド板４２のガイド孔３８の一方の端部３８ａに回転体４３のガイドピン４６が位置した状態になり、スライド板４２が最も外方に位置していて、長さの微調整量が最も大きくなり、時計バンド構造Ｃの長さの微調整が最大になる。
【００８７】
次に、図１５の（４）に示すようにスライド板４２を収容空間Ｈ内に押し込むと、ラチェット歯５０の傾斜歯面５０Ｂが係止爪４７の傾斜面部４７Ｂを滑り、ラチェット歯５０が送られて次のラチェット歯５０の傾斜歯面５０Ｂが係止爪４７の傾斜面部４７Ｂに当接する。さらに、スライド板４２を収容空間Ｈ内に押し込めば、上記と同様にしてラチェット歯５０が送られて次のラチェット歯５０の傾斜歯面５０Ｂが係止爪４７の傾斜面部４７Ｂに当接する。以下、同様にしてスライド板４２を押し込み方向に移動させて長さの微調整量を段階的に小さくする。
【００８８】
そして、所定位置でスライド板４２の押し込みを中止すれば、所定のラチェット歯５０の傾斜歯面５０Ｂが係止爪４７の傾斜面部４７Ｂに係止して所定の長さに微調整する。
【００８９】
また、図１５の（３）に示すように長さの調整量が最も大きい状態で、プッシュボタン４４を押し込むことにより、このプッシュボタン４４をスプリング４０に抗して移動して回転体４３の一端側のラチェット歯５０の係止爪４７への係止を解除すると、スライド板４２の収容空間Ｈ内への押し込みは、ラチェット歯５０が係止爪４７に干渉することなく行ない得るし、スライド板４２を収容空間Ｈ内に所定量押し込み、プッシュボタン４４の押圧を解除すると、このプッシュボタン４４がスプリング４０の付勢力により移動して係止爪４７の傾斜面部４７Ｂがラチェット歯５０の傾斜歯面５０Ｂに係止して所定の長さに微調整することもできる。
【００９０】
バンド長さ調整構造Ａにおいて、ラチェット歯５０の角度のピッチが大きくても、スライド板４２の滑動距離のピッチは小さくすることができる。なぜならば、ラチェット歯５０が大きく回転しようとも、カム手段を介して連動するスライド板４２の滑動距離は小さいからである。
【００９１】
このようなラチェット歯５０は、その角度のピッチを小さくしようとすると、加工の負荷が大きくなる。また、そのピッチをどのように小さくしようとも、加工上の限界がある。しかしながら、本発明においては、ラチェット歯５０の角度のピッチが大きくても、朝夕で僅かに異なる、手首の微妙な太さの変化にも追従できる小さいピッチを、スライド板４２の滑動に付与することができる。
【００９２】
上記した本発明の実施例３にあっては、スライド板４２を時計バンド構造Ｃの長手方向に滑動させ、ケース４１より引き出すと、時計バンド構造Ｃの長さを長くすることができる。また、スライド板４２を時計バンド構造Ｃの長手方向に滑動させ、ケース４１に没入させると、時計バンド構造Ｃの長さを短くすることができる。このとき、係止手段、すなわちラチェット歯５０に係止爪４７を係止することにより、適宜にスライド板４２の滑動を抑止し、適切な長さを得ることができる。
【００９３】
（実施例４）
本発明の実施例４を図１６乃至図１８に示す。図１６は本発明に係わる装身具の長さ調整構造（実施例４）の一部省略した分解状態の斜視図、図１７の（１）は同長さ調整構造の組立状態の一部省略した平面図、図１７の（２）は（１）のＺ−Ｚ線に沿う断面図である。
【００９４】
本発明に係わる装身具の長さ調整構造（実施例４）は、ケース５１と、スライド板５２と、回転体５３と、プッシュボタン５４と、Ｖ字形状の板ばね６０とにより大略構成してある。そして、前記ケース５１は、上記した実施例２のケース２１と同構成であるために、このケース２１と同じ符号を付して説明を省略する。
【００９５】
前記スライド板５２は、その面部にガイドピン５２Ａを備えており、その装身具の長手方向の一端部には連結部５２Ｂが設けてあり、この連結部５２Ｂには装身具の短手方向に沿う連結ピン孔５２Ｃが設けてある。
【００９６】
前記回転体５３は円板体５３Ａを備えており、この円板体５３Ａの裏面には、回転中心Ｐの位置に支承軸部５３Ｂが設けてあり、この円板体５３Ａの表面部には、回転中心Ｐより偏位した位置に長孔よりなるガイド孔５５が設けてある。また、円板体５３Ａの周部には、ガイド孔５５側とは反対側に位置させて複数の係止歯である平面視で方形の山歯５６が形成してある。
【００９７】
また、前記プッシュボタン５４の一端部は押し部５４Ａにしてあり、他端部にはばね受け部５７が形成してある。そして、プッシュボタン５４の面部の中央部には孔状の収納部５８が形成してあり、この収納部５８は、半円部５８Ａと方形部５８Ｂとを組み合わせた形状をした凹部であり、プッシュボタン５４の一端側に方形部５８Ｂが、他端側に半円部５８Ａがそれぞれ位置している。そして、半円部５８Ａには山歯状の係止爪５９が形成してある。そして、収納部５８には装身具の短手方向、換言すれば押圧されたプッシュボタン５４の移動方向に沿って長孔５８Ｃが形成してある。
【００９８】
そして、前記ケース５１の収容空間Ｈ内にはプッシュボタン５４が設けてあり、このプッシュボタン５４の押し部５４Ａ側はボタン孔３２より外方に突出しており、また、収容空間Ｈ内には、プッシュボタン５４の収納部５８内に収納して回転体５３が収容してあり、この回転体５３の支承軸部５３Ｂは収納部５８の長孔５８Ｃを貫通して蓋体２６の支承孔３１に回転可能に挿入してある。
【００９９】
そして、プッシュボタン５４の端部のばね受け部５７とケース５１側の側壁部２５Ｃの内面との間に板ばね６０を介装して、この板ばね６０でプッシュボタン５４を外方に付勢して係止爪５９を回転体５３に設けた一端側の山歯５６に係止してある。
【０１００】
また、収容空間Ｈ内にはプッシュボタン５４に重ねてスライド板５２が挿入してあり、このスライド板５２のガイドピン５２Ａが回転体５３のガイド孔５５に摺動可能に挿入して長さ調整構造Ａが構成してある。この場合、前記係止爪５９と山歯５６の係合は、プッシュボタン５４の抜け止めを兼ねているし、ガイドピン５２とガイド孔５５の係合はスライド板５２の抜け止めを兼ねている。
【０１０１】
上記のように構成された長さ調整構造Ａは、上記した実施例１の場合と同様に腕時計（図示せず）の一方のバンド取付部（図示せず）に連結された一方の時計バンドＢ１もしくは腕時計の他方のバンド取付部（図示せず）に連結された他方の時計バンドＢ２の駒１８、２０間に介装されて時計バンド構造Ｃを構成している。この場合、ケース５１の連結部３０に駒１８が、スライド板５２の連結部５２Ｂに駒２０がそれぞれ連結されることは図１と同様である。
【０１０２】
次に、上記のように構成された時計バンド構造Ｃの長さの微調整を説明する。上記したように図１８の（１）に示す状態、すなわち、回転体５３の他端側の山歯５６にプッシュボタン５４の係止爪５９が係止し、スライド板５２のガイドピン５２Ａが回転体５３のガイド孔５５の他方の端部５５ｂに位置した状態では、スライド板５２が最も内方に位置していて、長さの微調整量が最も小さい場合であり、時計バンド構造Ｃの長さの微調整が最小である。
【０１０３】
図１８の（１）に示す状態（長さの微調整量が最も小さい場合）から段階的に長さの微調整量を大きくする場合には、図１８の（１）に示すようにプッシュボタン５４を指で押圧してプッシュボタン５４を収容空間Ｈ内に押し込むことにより、このプッシュボタン５４を板ばね６０に抗して移動して回転体５３の他端側の山歯５６への係止爪５９の係止を解除する。
押圧されたプッシュボタン５４の移動が、支承軸部５３Ｂと干渉しないように、長孔５８Ｃが設けられている。プッシュボタン５４を押圧すると、長孔５８Ｃ内を、その長手方向に沿って、支承軸部５３Ｂが相対的に移動する。長孔５８Ｃを単なる円形の孔としたのでは、プッシュボタン５４と支承軸部５３Ｂが干渉して、プッシュボタン５４は移動し得ない。また、長孔５８Ｃは、プッシュボタン５４は移動距離を決定している。
【０１０４】
次に、プッシュボタン５４を押した状態で、図１８の（２）に示すようにスライド板５２を収容空間Ｈから引き出すと、ガイドピン５２Ａとガイド孔５５の側縁部との相対的な摺動により回転体５３が支承軸部５３Ｂを中心にして矢印ハ方向に回転する。この回転は、山歯５６が係止爪５９に干渉することなく行なわれる。
【０１０５】
次に、図１８の（３）に示すようにプッシュボタン５４の押圧を解除すると、このプッシュボタン５４が板ばね６０の付勢力により移動して係止爪５９が、一端側の山歯５６に係止してスライド板５２のガイドピン５２Ａが図１８の（１）の場合とは反対側に位置した状態になり、スライド板５２が最も外方に位置していて、長さの微調整量が最も大きくなり、時計バンド構造Ｃの長さの微調整が最大になる。
【０１０６】
次に、図１８の（３）に示すように長さの微調整量が最も大きい状態で、プッシュボタン５４を押し込むことにより、このプッシュボタン５４を板ばね６０に抗して移動して回転体５３の一端側の山歯５６への係止爪５９の係止を解除すると、スライド板５２の収容空間Ｈ内への押し込みは、山歯５６が係止爪５９に干渉することなく行ない得る。スライド板５２を収容空間Ｈ内に所定量押し込み、プッシュボタン５４の押圧を解除すると、このプッシュボタン５４が板ばね６０の付勢力により移動して係止爪５９が山歯５６に係止して所定の長さに微調整することができる。
【０１０７】
バンド長さ調整構造Ａにおいて、山歯５６の角度のピッチが大きくても、スライド板５２の滑動距離のピッチは小さくすることができる。なぜならば、山歯５６が大きく回転しようとも、カム手段を介して連動するスライド板５２の滑動距離は小さいからである。
【０１０８】
このような山歯５６は、その角度のピッチを小さくしようとすると、加工の負荷が大きくなる。また、そのピッチをどのように小さくしようとも、加工上の限界がある。しかしながら、本発明においては、山歯５６の角度のピッチが大きくても、朝夕で僅かに異なる、手首の微妙な太さの変化にも追従できる小さいピッチを、スライド板５２の滑動に付与することができる。
【０１０９】
上記した本発明の実施例４にあっては、スライド板５２を時計バンド構造Ｃの長手方向に滑動させ、ケース５１より引き出すと、時計バンド構造Ｃの長さを長くすることができる。また、スライド板５２を時計バンド構造Ｃの長手方向に滑動させ、ケース５１に没入させると、時計バンド構造Ｃの長さを短くすることができる。このとき、係止手段、すなわち山歯５６に係止爪５９を係止することにより、適宜にスライド板５２の滑動を抑止して、適切な長さを得ることができる。
【０１１０】
本発明に係わる長さ調整構造Ａを図１９に示すように装身具が具備する中留具に連結することができる。この場合、上記した実施例２のように構成された長さ調整構造Ａを、装身具が具備する三折れ中留具６１に連結する。
【０１１１】
この三折れ中留具６１は、表板６２と、この表板６２の装身具に長手方向の一端部（左端部）に連結ピン６５でその一端部が回動可能に連結された中板６３と、この中板６３の他端部に連結ピン６６でその一端部が回動可能に連結された外板６４とから構成されており、この外板６４の他端部には上向きにフック６７が設けてあり、また、前記連結ピン６５の中間部がフック係合部６８に成っている。
【０１１２】
そして、前記表板６２の他端部には、長さ調整構造Ａのケース２１の連結部３０が連結ピン６９により回動可能に連結されており、長さ調整構造Ａのスライド板２２の連結部３９には一方の時計バンドＢ１の連かん駒７０が連結ピン７０Ａで連結してあり、前記外板６４の他端部には他方の時計バンドＢ２の連かん駒７１が連結ピン７２で回動可能に連結してあり、時計本体（図示せず）と一方の時計バンドＢ１と三折れ中留具６１と長さ調整構造Ａと他方の時計バンドＢ２とで無端帯の装身具にしてある。
【０１１３】
そして、長さ調整構造Ａの調整操作は、図１２の（１）〜（４）に示す上記した実施例２の場合の調整操作と同様に行われる。そして、長さ調整構造Ａを操作して長さの微調整を行った後に、無端帯の装身具に手首を通して中板６３を外板６４側に折り畳んでフック６７をフック係合部６８に係脱可能に係合して装身具が手首に装着される。
その後、手首の太さが僅かに変化した時は、プッシュボタン２４を押圧して、段階的に微調整を行い、腕時計を手首から外すことなく、最も適当な装着感を得ることができる。
【０１１４】
なお、長さ調整構造Ａをして実施例２のように構成された長さ調整構造Ａを用いたが、実施例１、実施例３及び実施例４のように構成された長さ調整構造Ａを用いてもよい。
【０１１５】
また、本発明に係わる長さ調整構造Ａを図２０に示すように装身具の一端として腕時計本体に連結することができる。この場合、上記した実施例２のように構成された長さ調整構造Ａを、装身具の一端としての腕時計本体７３に連結する。
【０１１６】
この腕時計本体７３は時計ケース７４を備えており、この時計ケース７４の１２時−６時方向の両端部にはバンド取付部７５、７６が設けてある。
【０１１７】
そして、時計ケース７４のバンド取付部７５には、長さ調整構造Ａのケース２１の連結部が連結ピン７７により回動可能に連結してあり、長さ調整構造Ａのスライド板２２の連結部３９には一方の時計バンドＢ１の連かん駒７８が連結ピン７９で連結してあり、時計ケース７４のバンド取付部７６には他方の時計バンドＢ２の連かん駒８０が連結ピン８１で回動可能に連結してある。
【０１１８】
そして、長さ調整構造Ａの調整操作は、図１２の（１）〜（４）に示す上記した実施例２の場合の調整操作と同様に行われる。そして、長さ調整構造Ａを操作して長さの微調整を行った後に、腕時計は手首に装着される。
その後、手首の太さが僅かに変化した時は、プッシュボタン２４を押圧して段階的に微調整を行い、腕時計を手首から外すことなく、最も適当な装着感を得ることができる。
【０１１９】
なお、長さ調整構造Ａをして実施例２のように構成された長さ調整構造Ａを用いたが、実施例１、実施例３及び実施例４のように構成された長さ調整構造Ａを用いてもよい。
【０１２０】
以上のように、本発明の長さ調整構造Ａは、様々な形態で装身具に組み込むことができる。例えば、装身具として腕時計を選んだ場合、時計ケース、腕時計用バンド、中留具における、少なくとも１つの間に連結される。あるいは、腕時計用バンドの複数の駒より成るバンドならば、その駒と駒との間に連結されても良い。さらにまた、時計ケース、中留具、またはバンドの駒そのものに備えられても良い。
【０１２１】
また、本発明に係わる長さ調整構造Ａを、図２１に示すように装身具としてのブレスレッドに組み込こむことができる。この場合、上記した実施例２のように構成された長さ調整構造Ａを、装身具としてのブレスレッド８２に組み込む。すなわち、ブレスレッド８２の一端部には、長さ調整構造Ａのケース２１の連結部３０が連結してあり、長さ調整構造Ａのスライド板２２の連結部３９にはブレスレッド８２の他端部が連結ピン８３で連結してある。
【０１２２】
そして、長さ調整構造Ａの調整操作は、図１２の（１）〜（４）に示す上記した実施例２の場合の調整操作と同様に行われる。したがって、手首にブレスレッド８２を嵌めた状態で、長さ調整構造Ａを操作して長さの微調整を行ない、手首の太さに対応した長さのブレスレッド８２にする。その後、手首の太さが僅かに変化した時は、プッシュボタン２４を押圧して段階的に微調整を行い、ブレスレッド８２を手首から外すことなく、最も適当な装着感を得ることができる。
【０１２３】
なお、長さ調整構造Ａをして実施例２のように構成された長さ調整構造Ａを用いたが、実施例１、実施例３及び実施例４のように構成された長さ調整構造Ａであってもよい。
【０１２４】
また、本発明に係わる長さ調整構造Ａを装身具としてのベルト８４に組み込むことができる。この場合、上記した実施例２のように構成された長さ調整構造Ａを、装身具としてのベルト８４に組み込む。すなわち、ベルト８４のベルト本体８４Ａの基端部には、長さ調整構造Ａのスライド板２２の連結部３９が連結ピン８８で連結してあり、長さ調整構造Ａのケース２１の連結部３０には尾錠８５が連結ピン８９で連結してある。この尾錠８５の基部には突棒８６の基端部が回動可能に取り付けてあって、突棒８６の先端部は尾錠８５の先部に沿わせてある。そして、ベルト本体８４Ａの先部には係止孔８７が所定の間隔をおいて複数設けてある。
【０１２５】
そして、長さ調整構造Ａの調整操作は、図１２の（１）〜（４）に示す上記した実施例２の場合の調整操作と同様に行われる。したがって、ベルト８４をズボンに装着した状態で、長さ調整構造Ａを操作して長さの微調整を行ない、ベルト本体８４Ａの先部を尾錠８５内に通して突棒８６を適切な係止孔８７に係止する。
【０１２６】
その後、腰回りの周長が変化した時は、長さ調整構造Ａを操作して微調整を行えば良い。例えば食後などにように、腰回りが太くなった時は、長さ調整構造Ａを操作して、ベルト８４をズボンに装着したまま、このベルト８４を僅かに緩めることができる。係止孔８７を選択し直すのに比べ、より微妙な微調整が可能となる。なお、腕時計用皮バンド等にも適用できることは言うまでもない。
【０１２７】
【発明の効果】
以上説明したように、請求項１の発明に係わる装身具の長さ調整構造によれば、装身具の一端に連結可能な連結部を有するケースと、前記ケースに備えられる収容空間と、前記収容空間に装身具の長手方向に滑動可能に配設され且つ装身具の他端が連結されるスライド板と、前記収容空間内部に回転可能に配設される回転体と、前記スライド板における装身具の長手方向の滑動と前記回転体の回転とを連動させるカム手段と、前記ケースにその外方より押圧可能に配設され且つその内端部が前記収容空間内部に位置するプッシュボタンと、前記収容空間内部に配設されてプッシュボタンを前記ケースの外方に付勢する弾発部材と、前記弾発部材によって付勢された前記プッシュボタンの内端部が前記回転体に係合して前記回転体の回転を抑止する係止手段とを備えたことにより、プッシュボタンを弾発部材に抗して押圧すると、プッシュボタンの内端部と回転体とが離間して係止手段が解除される。よって、スライド板はカム手段を介して回転体を回転させつつ、装身具の長手方向に滑動できるようになる。また、プッシュボタンの押圧を止めると、弾発部材の弾発力により付勢されたプッシュボタンの内端部が回転体に係止する係止手段により、回転体の回転が抑止され、よって、カム手段を介して回転体と連動するスライド板の滑動が抑止される。
【０１２８】
このように、スライド板を装身具の長手方向に滑動させてケースより引き出すと、装身具の長さを長くすることができる。また、スライド板を装身具の長手方向に滑動させてケースに没入させると、装身具の長さを短くすることができる。このとき、係止手段により、適宜にスライド板の滑動を抑止し、適切な長さを得ることができる。したがって、朝夕で僅かに異なる手首等の微妙な太さの変化にも追従して装身具の長さを容易に微調整することができる。
【０１２９】
また、請求項２の発明に係わる装身具の長さ調整構造によれば、請求項１記載の装身具の長さ調整構造において、前記係止手段は、前記回転体の回転を一定の角度ごとに抑止して前記カム手段を介して前記スライド板の滑動を一定の距離ごとに抑止するようにしたことにより、記した請求項１の発明と同様な効果を奏し得るばかりか、前記回転体の回転を一定の角度ごとに抑止して前記カム手段を介して前記スライド板の滑動を一定の距離ごとに抑止して装身具の長さを容易に微調整することができる。
【０１３０】
また、請求項３の発明に係わる装身具の長さ調整構造によれば、請求項２記載の装身具の長さ調整構造において、前記係止手段が、前記プッシュボタンの内端部と前記回転体のいずれか一方に設けられた複数の係止歯と、他方に設けられた係止爪とより成り、前記係止爪が係止歯のいずれか１つと係合して、前記回転体の回転を一定の角度ごとに抑止するようにしたことにより、上記した請求項２の発明と同様な効果を奏し得るばかりか、係止歯の角度のピッチが大きくても、スライド板の滑動距離のピッチは小さくすることができる。なぜならば、係止歯が大きく回転しようとも、カム手段を介して連動するスライド板の滑動距離は小さいからである。
【０１３１】
このような係止歯は、その角度のピッチを小さくしようとすると、加工の負荷が大きくなる。また、そのピッチをどのように小さくしようとも、加工上の限界がある。しかしながら、本発明においては、係止歯の角度のピッチが大きくても、朝夕で僅かに異なる、手首の微妙な太さの変化にも追従できる小さいピッチを、スライド板の滑動に付与することができる。
【０１３２】
また、請求項４の発明に係わる装身具の長さ調整構造によれば、請求項１記載の装身具の長さ調整構造において、前記カム機構を、前記回転体と前記スライド板のいずれか一方に突設されたガイドピンと、他方に形成されたガイド孔とを有して前記ガイドピンを前記ガイド孔に挿入して構成したことにより、上記した請求項１の発明と同様な効果を奏し得るばかりか、スライド板を移動することにより、ガイドピンとガイド孔との相対的な摺動で、回転体を回転して前記スライド板の滑動を一定の距離ごとに抑止して装身具の長さを容易に微調整することができる。
【０１３３】
また、請求項５の発明に係わる装身具の長さ調整構造によれば、請求項１又は請求項４記載の装身具の長さ調整構造において、前記スライド板を、前記プッシュボタン及び前記回転体に重ねたことにより、上記した請求項１又は請求項４の発明と同様な効果を奏し得るばかりか、装身具の長さ調整構造の小形化が可能になる。
【０１３４】
また、請求項６の発明に係わる装身具の長さ調整構造によれば、請求項１記載の装身具の長さ調整構造において、前記プッシュボタンの内端部に前記回転体を収納する収納部を備えるようにしたことにより、上記した請求項１の発明と同様な効果を奏し得るばかりか、装身具の長さ調整構造の厚さを薄くすることが可能になって、より装身具の長さ調整構造の小形化が可能になる。
【０１３５】
また、請求項７の発明に係わる装身具の長さ調整構造によれば、請求項３又は請求項６記載の装身具の長さ調整構造において、前記収納部の内周縁に前記係止爪を突設し、前記回転体の外周縁に前記係止歯を形成して、前記係止爪と前記係止歯とを係合させたことにより、上記した請求項３又は請求項６の発明と同様な効果を奏し得る。
【０１３６】
また、請求項８の発明に係わる装身具の長さ調整構造によれば、請求項３又は請求項６記載の装身具の長さ調整構造において、前記収納部の内周縁に前記係止歯に突設し、前記回転体の外周縁に前記係止爪を形成して前記係止歯と前記係止爪とを係合させたことにより、上記した請求項３又は請求項６の発明と同様な効果を奏し得る。
【０１３７】
また、請求項９の発明に係わる装身具の長さ調整構造によれば、請求項６記載の装身具の長さ調整構造において、前記収納部を、前記スライド板の表裏に貫通した開口部または凹部であることにより、上記した請求項６の発明と同様な効果を奏し得る。
【０１３８】
また、請求項１０の発明に係わる装身具の長さ調整構造によれば、請求項１記載の装身具の長さ調整構造において、前記係止歯の形状が平面視でラチェット歯または山歯であることにより、上記した請求項１の発明と同様な効果を奏し得る。
【図面の簡単な説明】
【図１】本発明に係わる長さ調整構造（実施例１）を組み込んだ装身具（時計バンド構造）の一部省略した斜視図である。
【図２】同装身具の長さ調整構造の一部省略した分解状態の斜視図である。
【図３】（１）は同装身具の長さ調整構造の一部省略した平面図である。
（２）は（１）のＴ−Ｔ線に沿う断面図である。
【図４】（１）は同装身具の長さ調整構造の回転体の平面図である。
（２）は同回転体の一部破断した側面図である。
【図５】（１）、（２）、（３）、（４）は同装身具の長さ調整構造の調整操作の説明図である。
【図６】本発明に係わる装身具の長さ調整構造（実施例２）の一部省略した分解状態の斜視図である。
【図７】（１）は同装身具の長さ調整構造の一部省略した平面図である。
（２）は（１）のＵ−Ｕ線に沿う断面図である。
【図８】同装身具の長さ調整構造のケース枠本体の斜視図である。
【図９】同装身具の長さ調整構造の蓋体の斜視図である。
【図１０】同装身具の長さ調整構造のプッシュボタンの斜視図である。
【図１１】（１）は同装身具の長さ調整構造の回転体の平面図である。
（２）は同回転体の一部破断した側面図である。
【図１２】（１）、（２）、（３）、（４）は同装身具の長さ調整構造の調整操作の説明図である。
【図１３】本発明に係わる装身具の長さ調整構造（実施例３）の一部省略した分解状態の斜視図である。
【図１４】（１）は同装身具の長さ調整構造の一部省略した平面図である。
（２）は（１）のＹ−Ｙ線に沿う断面図である。
【図１５】（１）、（２）、（３）、（４）は同装身具の長さ調整構造の調整操作の説明図である。
【図１６】本発明に係わる装身具の長さ調整構造（実施例４）の一部省略した分解状態の斜視図である。
【図１７】（１）は同装身具の長さ調整構造の一部省略した平面図である。
（２）は（１）のＺ−Ｚ線に沿う断面図である。
【図１８】（１）、（２）、（３）、（４）は同装身具の長さ調整構造の調整操作の説明図である。
【図１９】本発明に係わる長さ調整構造を組み込んだ装身具であって、三折れ中留具を備えた装身具の一部省略した斜視図である。
【図２０】本発明に係わる長さ調整構造を組み込んだ装身具である腕時計の一部省略した斜視図である。
【図２１】本発明に係わる長さ調整構造を組み込んだ装身具であるブレスレッドの斜視図である。
【図２２】本発明に係わる長さ調整構造を組み込んだ装身具であるバンドの斜視図である。
【図２３】従来の装身具である時計バンド構造の一部省略した斜視図である。
【図２４】従来の装身具である時計バンド構造の一部省略した斜視図である。
【符号の説明】
１  ケース
２  スライド板
３  回転体
４  プッシュボタン
１７  スプリング（弾発部材）
１５  ラチェット歯（係止歯、係止手段）
１６  係止爪（係止手段）
Ａ  長さ調整構造
【図１】
0003850907.tif 000002
【図２】
0003850907.tif 000003
【図３】
0003850907.tif 000004
【図４】
0003850907.tif 000005
【図５】
0003850907.tif 000006
【図６】
0003850907.tif 000007
【図７】
0003850907.tif 000008
【図８】
0003850907.tif 000009
【図９】
0003850907.tif 000010
【図１０】
0003850907.tif 000011
【図１１】
0003850907.tif 000012
【図１２】
0003850907.tif 000013
【図１３】
0003850907.tif 000014
【図１４】
0003850907.tif 000015
【図１５】
0003850907.tif 000016
【図１６】
0003850907.tif 000017
【図１７】
0003850907.tif 000018
【図１８】
0003850907.tif 000019
【図１９】
0003850907.tif 000020
【図２０】
0003850907.tif 000021
【図２１】
0003850907.tif 000022
【図２２】
0003850907.tif 000023
【図２３】
0003850907.tif 000024
【図２４】
0003850907.tif 000025